(57)【要約】【課題】局所的な荷重を受けても衝撃吸収手段が誤作動せず、後突時に確実、かつ速やかに衝撃吸収手段を作動させることができるシートバックを提供する。【解決手段】シートバックのサイドフレーム１に、衝撃吸収手段２を介してベルト３を架け渡し、後突時の衝撃をベルト３全体で受け、衝撃吸収手段２で吸収する。衝撃吸収手段２を水平方向に揺動可能とし、ベルト３に局所的な荷重がかかった場合には、ベルト３が撓んで変形するに伴い衝撃吸収手段２は揺動するだけで作動しないようにする。【選択図】図５
2010173613.tif 000002
【特許請求の範囲】
【請求項１】
車両の幅方向に離間した固定部を有するシートバックフレームと、
前記固定部の間に配設され、かつ、これら固定部に衝撃吸収手段を介して取り付けられ、車両の後方に向かって変形可能な受圧部材と、
少なくともこの受圧部材の前方に設けられるクッション材とを具備する自動車用シートバックであって、
前記衝撃吸収手段は、
軸方向が略上下方向に延びる揺動軸と、
この揺動軸に基端部が軸支され、該揺動軸を支点として揺動可能に支持された揺動部材と、
この揺動部材に、前記基端部から該揺動部材の先端部方向に変位可能に装着された変位部材と、
前記揺動部材を、該揺動部材の先端部が後方に向くように付勢する付勢部材と、
前記変位部材と前記揺動部材との間に介在され、変位部材の変位を緩衝する緩衝手段とを有しており、
前記受圧部材が、前記衝撃吸収手段の前記変位部材に取り付けられていること
を特徴とする自動車用シートバック。
【請求項２】
前記受圧部材は非伸縮性であって、かつ、車両の後方への荷重を受けた時に張力が付与されるベルト状部材であることを特徴とする請求項１に記載の自動車用シートバック。
【請求項３】
前記受圧部材と前記変位部材との間、および／または該受圧部材と前記固定部材との間に弾性部材が介在されていることを特徴とする請求項１または２に記載の自動車用シートバック。
【発明の詳細な説明】
【技術分野】
【０００１】
本発明は、自動車の乗員の背もたれであるシートバックに係り、特に、追突事故等の際に起こる後方からの衝撃を緩和する機能の改善に関する。
【背景技術】
【０００２】
自動車が追突などによって後方から衝撃を受けると、乗員の身体には車両に対して相対的に後方に向かう大きな加速度が発生し、後方に移動しようとする身体は、主にシートバックで受け止められる。乗員による後方への運動エネルギーは、シートバックを構成するフレームやクッション材が弾性変形することにより吸収される。ところが、その弾性変形の反力が乗員に作用して上体を前方に押し返すリバウンドが生じ、これが乗員の頸部に負荷を与えてむち打ち傷害などを引き起こす。
【０００３】
このようないわゆる後突による傷害を防ぐためには、頭部の適切な支持や乗員による後方への運動エネルギーの吸収が有効であるとされている。またこの他には、後方への運動エネルギーを十分に吸収してリバウンドを発生しににくくするといった提案もなされている（特許文献１，２参照）。
【先行技術文献】
【特許文献】
【０００４】
【特許文献１】特開２００１−７１８０２号公報
【特許文献２】特開２００４−１６７０８号公報
【発明の概要】
【発明が解決しようとする課題】
【０００５】
上記特許文献１に記載のシートバックは、乗員の荷重を受ける受圧部が金属板で構成されている。このため、手や膝を突くなど、シートバックに局所的に荷重をかけた際に受圧部全体が後方に移動し、衝撃吸収機能が作動する、すなわち誤作動してしまうといった不具合が生じやすい。誤作動を防ぐには、衝撃吸収が開始される荷重を大きく設定すればよいが、そうすると乗員の体重が軽い場合に作動しにくくなる。また、この種の受圧部は乗員に近い前方寄りにあるほど衝撃吸収機能が速やかに作動するものであるが、金属板では硬い感触が乗員に伝わって乗り心地が低下し、したがって乗り心地と速やかな作動の両立が困難になる。
【０００６】
上記特許文献２に記載のシートバックは、衝撃吸収部材の前後方向の厚みが顕著であるため、レイアウトの自由度と衝撃吸収性能の両立を図ることが困難である。また、上記特許文献１のものと同様に乗り心地の低下や誤作動の発生といった懸念もある。また、後突を受けて変形した受圧部が後方に突出し、後部座席の乗員に影響を及ぼす可能性もある。
【０００７】
本発明は上記事情に鑑みてなされたものであって、局所的な荷重を受けても衝撃吸収手段が誤作動せず、後突時に確実、かつ速やかに衝撃吸収手段を作動させることができ、また、レイアウトの自由度も高く、後方への突出による後部座席の乗員への影響も抑えることができるシートバックの提供を目的としている。
【課題を解決するための手段】
【０００８】
本発明は、車両の幅方向に離間した固定部を有するシートバックフレームと、固定部の間に配設され、かつ、これら固定部に衝撃吸収手段を介して取り付けられ、車両の後方に向かって変形可能な受圧部材と、少なくともこの受圧部材の前方に設けられるクッション材とを具備する自動車用シートバックであって、衝撃吸収手段は、軸方向が略上下方向に延びる揺動軸と、この揺動軸に基端部が軸支され、該揺動軸を支点として揺動可能に支持された揺動部材と、この揺動部材に、基端部から該揺動部材の先端部方向に変位可能に装着された変位部材と、揺動部材を、該揺動部材の先端部が後方に向くように付勢する付勢部材と、変位部材と揺動部材との間に介在され、変位部材の変位を緩衝する緩衝手段とを有しており、受圧部材は、衝撃吸収手段の変位部材に取り付けられていることを特徴とする。
【０００９】
本発明では、後突時に車両に対して相対的に後方へ移動する乗員によって生じる荷重が受圧部材で受けられ、受圧部材が全体的に後方に移動する。すると、衝撃吸収手段の変位部材が揺動部材の先端部方向、すなわち後方に変位するが、その変位が緩衝手段で緩衝され、結果として後突時の衝撃エネルギーが吸収される。これが、後突時における乗員が着座している姿勢から上体が後方に移動する際に発生する本発明の正常な作動である。
【００１０】
一方、シートバックの例えば中央付近に局所的な後方への荷重が付与された場合には、その荷重付与点が局所的に後方に変形する。するとこの変形に伴って、先端部が後方に向いていた揺動部材が、付勢部材に抗して先端部が内側に向くように揺動し、衝撃吸収手段の変位部材が変位する動作が起こらない。すなわち、局所的な荷重の入力は揺動部材を揺動させる動作に変換されるため、衝撃吸収手段の誤作動は生じない。
【００１１】
本発明では、受圧部材が単なる金属板のような剛性を有するものではなく、後方への変形が可能なものであり、これに加えて衝撃吸収手段が略上下方向に延びる揺動軸を支点として揺動可能であるため、局所的な荷重入力時には誤作動が生じないものとなっている。正常な作動時には、シートバックの幅方向にわたる広い範囲に後方への荷重が付与されるので、両側の衝撃吸収手段の変位部材には、受圧部材を介して後方への衝撃エネルギーが的確に伝わり、変位部材が変位するといった正常な動作が発生するのである。
【００１２】
本発明の受圧部材は、上記のように金属板のような剛性を有するものではなく、後方への変形が可能なものである。このため、受圧部材をシートバックの前方寄りに配設しても乗り心地に影響を与えにくく、したがって前方寄りに配設することにより、後突時に確実、かつ速やかに衝撃吸収手段を作動させることができる。また、レイアウトの自由度を高くすることができるとともに、後方への突出による後部座席の乗員への影響も抑えることができる。
【００１３】
本発明の受圧部材の形態としては、非伸縮性であって、かつ、車両の後方への荷重を受けた時に張力が付与されるベルト状部材が挙げられる。
【００１４】
また、本発明は、受圧部材と衝撃吸収手段の変位部材との間、および／または受圧部材と固定部材との間にばね等の弾性部材が介在されている形態を含む。この形態によると、受圧部材が受ける後方への衝撃エネルギーを弾性部材で適宜に吸収することにより、衝撃吸収手段の作動開始荷重を調節することができるなどの利点がある。
【発明の効果】
【００１５】
本発明のシートバックによれば、局所的な荷重を受けても衝撃吸収手段が誤作動せず、後突時に確実、かつ速やかに衝撃吸収手段を作動させることができ、また、レイアウトの自由度も高く、後方への突出による後部座席の乗員への影響も抑えることができるなど、種々の効果を奏する。
【図面の簡単な説明】
【００１６】
【図１】（Ａ）は本発明の第１実施形態に係るシートバックの衝撃吸収手段を含む内部構造を示す斜視図、（Ｂ）は衝撃吸収手段を示す拡大図である。
【図２】（Ａ）は同内部構造の平面図であって、衝撃吸収手段が作動していない通常状態を示しており、（Ｂ）は衝撃吸収手段を示す拡大図である。
【図３】衝撃吸収手段の構造を示す断面図であって、（Ａ）衝撃吸収手段が作動していない通常状態、（Ｂ）衝撃吸収手段が作動した状態である。
【図４】衝撃吸収手段が正常に作動した時の状態を示す平面図である。
【図５】シートバックに局所的な後方への荷重がかかった時の挙動を示す平面図である。
【図６】第１実施形態の衝撃吸収手段の変形例を示す断面図であって、（Ａ）衝撃吸収手段が作動していない通常状態、（Ｂ）衝撃吸収手段が作動した状態である。
【図７】（Ａ）は本発明の第２実施形態を示す斜視図、（Ｂ）は衝撃吸収手段を示す拡大図である。
【図８】本発明の第３実施形態を示す斜視図である。
【発明を実施するための形態】
【００１７】
以下、図面を参照して本発明の実施形態を説明する。
［１］第１実施形態
図１（Ａ）および図２（Ａ）は、シートバックフレームの一部を構成する左右一対のサイドフレーム（固定部）１に、本発明に係る衝撃吸収手段２を介して、受圧部材であるベルト３が取り付けられた状態を示している。
【００１８】
略上下方向に延び、互いに平行なサイドフレーム１の下端部は、図示せぬシートクッションフレームの後端部にヒンジを介して前後方向へのリクライニング可能に支持されている。サイドフレーム１の上端部間には、図示せぬ逆Ｕ字状のアッパフレームが固定されており、このアッパフレームと各サイドフレーム１により、シートバックフレームが構成される。そしてシートバックフレームは、発泡ウレタン等のクッション材で覆われ、さらにクッション材は皮やファブリック等の被覆材で覆われて、シートバックが構成される。
【００１９】
衝撃吸収手段２は、サイドフレーム１の下端部の内側に配設された上下一対のブラケット５に取り付けられている。衝撃吸収手段２は、これら上下のブラケット５にわたって設けられた軸方向が略上下方向に延びる揺動軸１０と、この揺動軸１０に基端部が軸支され、揺動軸１０を支点としてサイドフレーム１の内側で前後方向に略水平（図２で矢印Ｆ−Ｒ方向）に揺動可能に支持された円筒状の揺動部材２０を有している。
【００２０】
図３（Ａ）に示すように、揺動部材２０は、図中左側の基端部が他の部分よりも径が大きい大径部２１となっており、大径部２１からテーパ部２２を経て先端側に連なる他の部分である小径部２３に、円筒状の変位部材３０が摺動自在に挿入されている。小径部２３の開口端部には鍔部２３ａが形成されており、この先端側の開口から揺動部材２０内に挿入された変位部材３０の奥端部は、揺動部材２０の大径部２１内まで至っている。そして変位部材３０の端板３１で閉塞されている端部は揺動部材２０から突出している。
【００２１】
変位部材３０の、揺動部材２０の大径部２１内に存している奥端部には、周方向に等間隔をおいて複数の円形の孔３２が形成されており、これら孔３２には、剛球（緩衝手段）３３が転動可能に嵌め込まれている。また、変位部材３０の内部には、ブロック３４が固着されている。
【００２２】
ブロック３４には、揺動部材２０の大径部２１内に突出する突出部３４ａが形成されており、各剛球３３は、この突出部３４ａに接触するとともに孔３２に拘束され、かつ、変位部材３０の外周面から突出して大径部２１およびテーパ部２２の内面に近接する状態に支持されている。そして、変位部材３０の端板３１には、リング３７を介して上記ベルト３の端部がそれぞれ固定される。
【００２３】
ここで、揺動部材２０は、塑性変形が効果的に起こる金属等により構成され、剛球３３は、揺動部材２０に塑性変形を生じさせることができる剛性を有した材料でできている。また、変位部材３０は、衝撃吸収時において問題となる破損や変形が生じない強度が確保される材質でできている。また、ベルト３は、自動車用シートベルト等に用いられるような可撓性は有するが伸び性はほとんど無いような材質が好ましく用いられる。
【００２４】
上記衝撃吸収手段２は、揺動部材２０の基端部側である大径部２１に揺動軸１０が貫通され、上記のように揺動軸１０を支点として揺動可能にブラケット５に取り付けられている。そして揺動部材２０は、図１（Ｂ）に示す揺動軸１０に装着されたねじりコイルばね（付勢部材）１１により、図２の矢印Ｒ方向に付勢され、通常は、鍔部２３ａが形成された先端部が後方に向いて軸方向がほぼ前後方向に延びる状態となっている。ベルト３は、左右の衝撃吸収手段２の変位部材３０に、リング３７を介して連結されており、通常は、図１（Ａ）および図２（Ａ）に示すようにほぼ水平に張った状態となっている。なお、ベルト３の高さ位置は、乗員の腰部に対応する位置とされる。
【００２５】
次いで、以上の構成からなるシートバックの作用を説明する。
自動車が後突を受けた場合、当該シートバックに着座する乗員の上体（図４：Ｐ１で示す）が車両に対して相対的に後方へ移動するが、その時の衝撃エネルギーはクッション材を経てベルト３で受けられる。ベルト３にかかる上体からの荷重は、ベルト３の中央部から両側にわたる広い範囲に付与されるため、図４に示すように、ベルト３は全体的に後方に移動して張力がかかった状態となる。すると、同図に示すように揺動部材２０が若干内側（矢印Ｆ方向）に揺動してから、衝撃吸収手段２に衝撃が直接伝わってワイヤ３６が後方に引っ張られる。
【００２６】
ワイヤ３６が後方に引っ張られる衝撃を受けると、衝撃吸収手段２においては、変位部材３０が後方に移動して揺動部材２０から抜ける動きをする。すると、変位部材３０とともに後方に動く剛球３３がテーパ部２２に食い込み、図３（Ｂ）に示すように揺動部材２０を塑性変形させて押し広げながら後方に移動する。
【００２７】
このようにして剛球３３が揺動部材２０の抵抗を受けながら拡径して塑性変形が所定の距離にわたって生じることで、シートバックが受けた（つまりその反作用として乗員が受けた）衝撃のエネルギーが吸収される。これが、後突時における乗員が着座している姿勢から上体が後方に移動する際に発生する正常な衝撃吸収動作である。
【００２８】
一方、図５に示すように、手や膝を突くなどして、シートバックの例えば中央付近に局所的な後方への荷重Ｐ２が付与された場合には、図５に示すように、ベルト３の荷重付与点に対応する部分が局所的に後方に移動し、ベルト３は全体的に略Ｖ字状に変形する。するとこの変形に伴って、先端部が後方に向いていた揺動部材２０が内側に引っ張られ、ねじりコイルばね１１の弾発力に抗して図５に示すように先端部が内側に向くように矢印Ｆ方向に揺動する。
【００２９】
このように局所的な荷重を受けると、ベルト３は全体的に後方へは移動せず局所的に大きく変形し、これに伴って衝撃吸収手段２が上記のように内側に揺動することにより、ワイヤ３を後方に引っ張るといった力が衝撃吸収手段２には伝わらない。すなわち、局所的な荷重の入力は揺動部材２０を揺動させる動作に変換されるため、衝撃吸収手段２の誤作動が生じない。
【００３０】
本実施形態では、金属板のような剛性を有するものではなく、後方への変形が可能なベルト３で後方への衝撃を受けるものであり、これに加えて衝撃吸収手段２が揺動軸１０を支点として水平方向に揺動可能であるため、局所的な荷重入力時には誤作動が生じないものとなっている。正常な作動時には、シートバックの幅方向にわたる広い範囲に後方への荷重が付与されるので、両側の衝撃吸収手段２の変位部材３０には、ベルト３を介して後方への衝撃エネルギーが的確に伝わり、変位部材３０が変位するといった正常な動作が発生するのである。
【００３１】
本実施形態のベルト３は、上記のように金属板のような剛性を有するものではなく、後方への変形が可能なものであり、その変形は、乗員の上体の体型に沿ったものとなる。このため、ベルト３から上体へ局所的に荷重がかかり乗員に負担となるといった不具合が起こらない。また、ベルト３をシートバックの前方寄りに配設しても乗り心地に影響を与えにくく、したがってベルト３を前方寄りに配設することにより、後突時に確実、かつ速やかに衝撃吸収手段２を正常に作動させることができる。また、ベルト３のレイアウトの自由度を高くすることができるとともに、後方への突出による後部座席の乗員への影響も生じない。さらに、前後方向に薄いため衝撃吸収のストロークを大きくとることができ、衝撃吸収性を向上させることができる。
【００３２】
なお、上記衝撃吸収手段２は、図６に示す構造のものも採用することができる。この衝撃吸収手段２は、上記ブロック３４が変位部材３０の内部に摺動自在に挿入されており、このブロック３４と端板３１との間には圧縮ばね３５が介装されている。また、ブロック３４には、変位部材３０の端板３１を貫通するワイヤ３６の一端が固着されており、このワイヤ３６の端板３１からの突出端部に、ベルト３の端部が固定されるリング３７が固着されている。
【００３３】
図６に示す衝撃吸収手段２では、ベルト３は、リング３７、ワイヤ３６、ブロック３４および圧縮ばね３５を介して変位部材３０に連結される。そして、図６（Ａ）の通常の状態からベルト３に後方への衝撃エネルギーが加わると、ワイヤ３６が後方に引っ張られる衝撃を受け、ブロック３４を介して圧縮ばね３５の緩衝を受けながらリング３７が後方に移動し、圧縮ばね３５が圧縮しきってなお大きな衝撃がある場合、変位部材３０が後方に移動して揺動部材２０から抜ける動きをする。すると、変位部材３０とともに後方に動く剛球３３がテーパ部２２に食い込み、図６（Ｂ）に示すように揺動部材２０を塑性変形させて押し広げながら後方に移動する。
【００３４】
図６に示した衝撃吸収手段によれば、ベルト３が受ける後方への衝撃エネルギーが、まず圧縮ばね３５で吸収される。このため、衝撃吸収能力がより向上したものとなる。また、圧縮ばね３５のばね力に応じて衝撃吸収手段の作動開始荷重を調節することができる。
【００３５】
［２］第２実施形態
図７（Ａ）は、上記衝撃吸収手段２に代えて、別の衝撃吸収手段７を介してベルト３をサイドフレーム１に取り付けた形態を示している。この場合、ブラケット５、揺動軸１０およびねじりコイルばね１１は第１実施形態と同様の機能を有するが、揺動軸１０に軸支された揺動部材４０は、図７（Ｂ）に示すように、内側に前後方向に延びる凹所を有する断面コ字状のものである。この揺動部材２０の凹所内には、前後方向に摺動可能に変位部材５０が嵌め込まれており、変位部材５０にベルト３の端部が固着されている。変位部材５０は、通常は前方寄りに位置付けられており、変位部材５０と、揺動部材４０の後方に向く先端部に形成された端板４１との間には、発泡スチロール等からなる緩衝材（緩衝手段）６０が嵌め込まれている。
【００３６】
この第２実施形態の衝撃吸収手段７によると、後突を受けた際には、第１実施形態と同様に、ベルト３から変位部材５０が後方に引っ張られる衝撃を受ける。そしてこの場合には、変位部材５０が揺動部材４０の凹所内を、緩衝材６０を潰しながら後方に移動し、その移動時に緩衝材６０から受ける抵抗によって、衝撃エネルギーが吸収される。また、局所的に後方荷重を受けた場合には、ベルト３が図５に示すように荷重を受けた部分のみ大きく後方に変形し、第１実施形態と同様に揺動部材４０が内側に揺動することにより、変位部材５０が後方に移動する力はベルト３からは伝わらず、誤作動は生じない。
【００３７】
また、この第２実施形態では、ベルト３に適宜な弾力性を有するパッド８を装着している。パッド８は乗員の上体の幅に相当する幅を有しており、このパッド８により、正常作動時において乗員の荷重がベルト３に集中することが押さえられ、衝撃によるベルト３からの乗員への反発力を緩和することができるようになっている。
【００３８】
なお、上記第１および第２実施形態のように、受圧部材としてベルトを用いる場合、ベルトの本数は１本に限らず、適宜な本数に選択される。また、ベルトの掛け方は、複数の場合は水平に限られず、Ｘ状や井の字状といったように様々な形態を採用することができる。また、ベルトに弛みを持たせ、ばね等の弾性部材で張力を調整することにより、乗り心地を低下させず従来のＳばね等のばね体に代わる受圧部材とすることができる。
【００３９】
また、ベルトの一端部を、シートベルト装置に組み込まれるリトラクタ機構（衝撃が入力された時には巻き出しが停止する機構）を介して衝撃吸収手段２に連結し、通常時の緩やかな衝撃吸収時にはベルトが伸びて乗り心地を損なわせず、後突が起きた時にベルトに張力が発生するようにしてもよい。
【００４０】
また、ベルトの代わりとして、紐やワイヤまたは張力伝達方向に伸縮性を持たない樹脂や高分子材料、あるいはそれらを組み合わせたものを受圧部材として構成してもよい。
【００４１】
また、別の衝撃吸収手段としては、ベルトの一部を折り曲げた状態を、長方形孔のスリーブに挿入したり縫合したりして保持し、衝撃を受けるとスリーブの破壊や縫合糸の切断により、衝撃吸収作用を発揮する形式のものであってもよい。さらに、板材を蛇腹状にプレス加工したものなども好適に用いることができる。
【００４２】
［３］第３実施形態
図８は、上記第１実施形態のベルト３に代えて、弾性を有する矩形状の枠材７１内に複数の線条ばね７２をフラットな格子状に組んでなる平面ばね７０を受圧部材とし、この平面ばね７０を衝撃吸収手段２に取り付けている。この場合、上記ワイヤ３６にはホルダ３８を介して平面ばね７０の枠材７１が保持され、これによって平面ばね７０が衝撃吸収手段２に連結されている。また、この平面ばね７０の枠材７１は、コイルばね（弾性部材）７５を介してサイドフレーム１に対し前後方向に弾性的に移動可能に支持されている。
【００４３】
この第３実施形態では、後突を受けた際には、乗員の後方への衝撃エネルギーが平面ばね７０の全体で受けられ、後方に移動する枠材７１により変位部材３０が後方に引っ張られ、衝撃吸収手段２が正常に作動する。また、局所的に後方荷重を受けた場合には、線条ばね７２の一部が後方に弾性変形し、これに伴って枠材７１の両側が内側に移動するように変形する。これにより、衝撃吸収手段２は、図５で示したように内側に揺動するだけで作動せず、誤作動は起こらない。
【００４４】
また、この第３実施形態では、後突を受けるとはじめにコイルばね７５が伸びることにより衝撃が吸収され、コイルばね７５が伸びきったあとに衝撃吸収手段２に平面ばね７０から後方への衝撃エネルギーが伝わり、衝撃吸収手段２が作動を開始する。したがって、平面ばね７０が受ける後方への衝撃エネルギーをコイルばね７５で適宜に吸収することにより、衝撃吸収手段２の作動開始荷重を調節することができる。
【符号の説明】
【００４５】
１…サイドフレーム（固定部）
２，７…衝撃吸収手段
３…ベルト（受圧部材）
１０…揺動軸
１１…ねじりコイルばね（付勢部材）
２０，４０…揺動部材
３０，５０…変位部材
３３…剛球（緩衝手段）
６０…緩衝材（緩衝手段）
７５…コイルばね（弾性部材）
【図１】
2010173613.tif 000003
【図２】
2010173613.tif 000004
【図３】
2010173613.tif 000005
【図４】
2010173613.tif 000006
【図５】
2010173613.tif 000007
【図６】
2010173613.tif 000008
【図７】
2010173613.tif 000009
【図８】
2010173613.tif 000010